(57)【要約】 【課題】  本発明は、製本等のため用紙を四つ折りまたは八つ折り等、所用の形態に折り曲げるための紙折り機であって、紙折りのための羽根の、突当て用としての使用とガイド用としての使用の切換えが、極めて簡便に行われるようにした紙折り機の提供を図ったものである。【解決手段】  紙折り工程に従事させる羽根Ｔとして、基枠１の先端に羽先片３…を紙折り対象とする用紙の導入が図られるような間隙Ｓを下面に形成するためにやや浮かせた状態で固定し、当該基枠１に前後進自在に取付けた当該移動用フレーム体７には、導入された紙材の端縁を受止めるための突当て面10aを具えた突当て板10…と、先端にガイド体12…を取付けた揺動レバー11…とを取付け、当該突当て板10…とガイド体12…は、前述した羽先片３…の櫛の歯状空間に対して、これを互いに埋め合うような櫛の歯状に位置させて設け、当該移動用フレーム体７の前進させた際に、ガイド体12…が前記羽先片３…の櫛の歯状空間内に位置して、用紙の導入を成すための間隙Ｓを閉鎖するように構成した紙折り機。【選択図】  図３
2006062867.tif 000002
【特許請求の範囲】
【請求項１】
「突当て用」と「ガイド用」の何れかの機能選択を切換え的に行うようにした羽根を供えた紙折り機であって、そのための羽根Ｔとして、
矩形状を呈する基枠１の先端全長に亘って、梁杆２に対して所定間隔を保った櫛歯状に夫々取付けた羽先片３…を、紙折り対象とする用紙の導入が図られるような間隙Ｓを下面に形成するためにやや浮かせた状態で固定し、
さらに、当該基枠１には、適宜の駆動機構を介して前進及び後退できるようにした移動用フレーム体７を取り付け、
当該移動用フレームには、導入された紙材の端縁を受止めるための突当て面10aを先端に形成して成る突当て板10…を固設すると共に、ガイド体12…を先端に取付けた揺動レバー11…を基端部において起伏自在に枢支し、
当該揺動レバー11…には、そのガイド体12を上記突当て板10…の位置より上方に逃がした状態に保持させるためのスプリング11aを取付け、
前記突当て板10…とガイド体12…は、前述したように櫛歯状に夫々取付けられている羽先片３…の櫛の歯状空間に対して、これを互いに埋め合うような位置にあるように成し、
前記移動用フレーム体７の前進に基づきガイド体12…が前記羽先片３…の櫛の歯状空間内に位置して、用紙の導入を成すための間隙Ｓを閉鎖するように構成し、
上記のような構成を供えた羽根Ｔを着脱自在に取付けるように構成した紙折り機。
【請求項２】
移動用フレーム体７を前進及び後退させるための手段として、基枠の前端寄り両側部に左右対称的に設けたライン送り用ホイール8,8と、同後端寄りに左右対称的に設けたライン送り用ホイール9,9との間に架設した連動用ラインL,Lの両端を、上記移動用フレーム体７に対し連結し、当該連動用ラインL,Lには適宜の駆動機構を連結するように構成した請求項１に記載の紙折り機。
【請求項３】
移動用フレーム体７を前進及び後退させるための手段として、基枠の前端寄り両側部に左右対称的に設けたライン送り用ホイール8,8と、同後端寄りに左右対称的に設けたライン送り用ホイール9,9に掛架した連動用ラインL,Lに対する回動を、適宜の駆動用モータMのシャフトに連結されかつ正逆回転可能とする駆動用ホイールｍを噛み合わせることにより、当該駆動用ホイールｍの回動に基づき連動用ラインＬ，Ｌが回動し、移動用フレーム体７の前進又は後退運動が行われるようにした請求項１に記載の紙折り機。
【請求項４】
移動用フレーム体７を前進及び後退させるための手段として、基枠の前端寄り両側部に左右対称的に設けたライン送り用ホイール8,8と、同後端寄りに左右対称的に設けたライン送り用ホイール9,9に掛架した連動用ラインL,Lに対する回動を、適宜ハンドルを介して正逆回転されるホイールを係合させることにより、当該ホイールの回動に基づき連動用ラインＬ，Ｌが回動し、移動用フレーム体７の前進又は後退運動が行われるようにした請求項１に記載の紙折り機。
【請求項５】
移動用フレーム体７の前進に基づきガイド体12…を羽先片３…の櫛の歯状空間内に位置させると共に用紙の導入を成すための間隙Ｓを閉鎖するための手段として、羽先片３…の間にガイドコロ４…を取付け、揺動レバー11…の上縁に制御用カム片13…を設け、移動用フレーム体７の前進に基づき当該制御用カム片13…が当該ガイドコロ４…に係合して、当該揺動レバー11をスプリング12に抗して降下させ、その先端に形成のガイド体12により、用紙の導入を成すための間隙Ｓが閉鎖されるように構成した請求項１に記載の紙折り機。
【請求項６】
ガイドコロおよびこれと係合する制御用カム片を、両側部に位置する羽先片3,3寄りと、両側部に位置する揺動レバー11,11の上面だけに取付けるように構成した請求項５に記載の紙折り機。
【発明の詳細な説明】
【技術分野】
【０００１】
本発明は、製本等のため用紙を四つ折りまたは八つ折り等所用の形態に折り曲げるための紙折り機であって、紙折りのための羽根の、「突当て用」としての使用と「ガイド用」としての使用の切換えが、極めて簡便に行われるようにした紙折り機に関する。
【背景技術】
【０００２】
紙折り機において、製本等のため用紙を四つ折りまたは八つ折り等、所用の形態に折り曲げるために、一枚ずつ送られてくる用紙のガイドとして、または、用紙に対する突き当てとして切換え的に機能させるための羽根は、各ロール間に所要数配設するものであり、用紙の折曲げ形態を設定するための重要な部材である。
そして当該羽根は用紙の折曲げ形態に即応させて、送られてくる用紙に対する「突当て用」としての機能形態、または、送られてくる用紙に対する「ガイド用」としての機能形態、と言うような二つの機能を果たすために夫々切換えることが出来るように構成されている。  そして、このような機能の切換設定は、ロールの配列と同様に目的とする紙折り工程に即応させて予め設定しておくものである。
【０００３】
ところで、従来の羽根としては、上記したような切換え設定を、紙折り機本体から羽根を取り外し、この状態で当該設定換えを行うように構成したものがあった。  然し乍、羽根自体は極めて重いものであり、また、羽根は本体に対して斜め方向に取付ける関係上、その設定のための取外し及び取付け操作は、必然、重労働性が伴うことを余儀なくされた。
【０００４】
また、突き当ての位置調節を所要の駆動力を介して行わせるように構成したものもある。（例えば、特許文献１参照。）  然し乍、これは単に突き当ての位置を羽根の全長における内輪な部分での移動を果たさせるように構成したものに過ぎず、羽根の最先端に位置させてガイド用としての機能させるような形式のものではない。
【特許文献１】特開平９−８６７８７号
【発明の開示】
【発明が解決しようとする課題】
【０００５】
羽根の最先端でのガイド機能を果たすようにした従来の紙折り機における案内用羽根として図７に示すようなものがある。  これは、ガイド用として機能させる場合は、同図に示すように、先端部分全体を被うためのガイドプレートＧを位置させて閉鎖状態に保ち、一方、羽根の内部に対する用紙の受け入れ長さを調節するための突き当てとして機能させる場合は、当該ガイドプレートＧを矢印ａで示す方向に回転させて跳ね上げ、当該プレートＧに依る閉鎖を解消するように構成したものであった。  なお、受入れ位置の調節は突き当て片操作用レバーＨを同図に矢印ｂで示す方向に移動させて行うように構成してある。
【０００６】
然し乍、このようなものであるとその切換えは、羽根自体を紙折り機械本体から取外して行う必要があるため、その切換え作業は前述したように羽根の重量性から極めて重労働な作業に属するという問題が生じるものであった。
【０００７】
本発明は、このような作業の重働労性の問題を解決し、極めて容易に羽根の機能切替え目的が果たされるようにし、これにより上記のような従来の問題を解決した新規の紙折り機の提供を図ったものである。
【課題を解決するための手段】
【０００８】
本発明は、「突当て用」と「ガイド用」の何れかの機能選択を切換え的に行うようにした羽根を供えた紙折り機であって、そのための羽根Ｔとして、
矩形状を呈する基枠１の先端全長に亘って、梁杆２に対して所定間隔を保った櫛歯状に夫々取付けた羽先片３…を、紙折り対象とする用紙の導入が図られるような間隙Ｓを下面に形成するためにやや浮かせた状態で固定し、
さらに、当該基枠１には、適宜の駆動機構を介して前進及び後退できるようにした移動用フレーム体７を取り付け、
当該移動用フレームには、導入された紙材の端縁を受止めるための突当て面10aを先端に形成して成る突当て板10…を固設すると共に、ガイド体12…を先端に取付けた揺動レバー11…を基端部において起伏自在に枢支し、
当該揺動レバー11…には、そのガイド体12を上記突当て板10…の位置より上方に逃がした状態に保持させるためのスプリング11aを取付け、
前記突当て板10…とガイド体12…は、前述したように櫛歯状に夫々取付けられている羽先片３…の櫛の歯状空間に対して、これを互いに埋め合うような位置にあるように成し、
前記移動用フレーム体７の前進に基づきガイド体12…が前記羽先片３…の櫛の歯状空間内に位置して、用紙の導入を成すための間隙Ｓを閉鎖するように構成し、
上記のような構成を供えた羽根Ｔを着脱自在に取付けるように構成した紙折り機に係るものである。
【０００９】
上記した移動用フレーム体７を前進及び後退させるための手段として、基枠の前端寄り両側部に左右対称的に設けたライン送り用ホイール8,8と、同後端寄りに左右対称的に設けたライン送り用ホイール9,9との間に架設した連動用ラインL,Lの両端を、上記移動用フレーム体７に対し連結し、当該連動用ラインL,Lには適宜の駆動機構を連結するように構成し、当該連動用ラインの回動を、モータによる機械的駆動力か、或いは、ハンドル操作による手動的駆動力に依存するように構成する。
【００１０】
また、移動用フレーム体７の前進に基づきガイド体12…を羽先片３…の櫛の歯状空間内に位置させると共に用紙の導入を成すための間隙Ｓを閉鎖するための手段としては、羽先片３…の間にガイドコロ４…を取付け、揺動レバー11…の上縁に制御用カム片13…を設け、移動用フレーム体７の前進に基づき当該制御用カム片13…が当該ガイドコロ４…に係合して、当該揺動レバー11をスプリング12に抗して降下させ、その先端に形成のガイド体12により、用紙の導入を成すための間隙Ｓが閉鎖されるように構成して実施することができる。
【００１１】
また、上述したガイドコロ４およびこれと係合する制御用カム片13を、全ての羽先片寄りと、とに設けることなく、両側部に位置する羽先片3,3寄りと、両側部に位置する揺動レバー11,11の上面だけに取付けるようにして実施することもできる。
【発明の効果】
【００１２】
本発明は、請求項１に記載のような構成、すなわち、紙折り工程に従事させる羽根Ｔを、基枠１の先端に羽先片３…を、紙折り対象とする用紙の導入が図られるような間隙Ｓを下面に形成するためにやや浮かせた状態で固定し、当該基枠１に前後進自在に取付けた当該移動用フレーム体７には、導入された紙材の端縁を受止めるための突当て面10aを具えた突当て板10…と、先端にガイド体12…を取付けた揺動レバー11…とを取付け、当該突当て板10…とガイド体12…は、前述した羽先片３…の櫛の歯状空間に対して、これを互いに埋め合うような櫛の歯状に位置させて設け、当該移動用フレーム体７を前進させた際に、ガイド体12…が前記羽先片３…の櫛の歯状空間内に位置して、用紙の導入を成すための間隙Ｓを閉鎖するように構成したから、羽根Ｔに対する「突当て用」と「ガイド用」との機能変更の切換えが、移動用フレーム体７を前後進させるだけで達成されることとなる。  従って、当該機能切換えが瞬時に果されるため、対象紙折りの設定変え作業が極めて簡便かつ迅速に達成される。
【００１３】
本発明は請求項２乃至請求項４に記載のような構成の採用、すなわち、上記した移動用フレーム体７を前後進させるための手段として、基枠の前端寄り両側部に左右対称的に設けたライン送り用ホイール8,8と、同後端寄りに左右対称的に設けたライン送り用ホイール9,9との間に架設した連動用ラインL,Lの両端を、上記移動用フレーム体７に対し連結し、当該連動用ラインL,Lには適宜の駆動機構を連結するように構成し、当該連動用ラインの回動を、モータによる機械的駆動力か、或いは、ハンドル操作による手動的駆動力に依存するように構成し、当該連動用ラインの回動を、モータによる機械的駆動力か、或いは、ハンドル操作による手動的駆動力に依存するように構成することに依って、殆ど自動的に達成されることとなる。  従って、羽根の設定変えを行うのに一々羽根を取り外す必要がなく、従って、羽根自体を取外さなければならなかった従来の羽根に於いて生じた設定変更に際する重労働性は全く解消される。
【００１４】
本発明は請求項５に記載のような構成、すなわち、移動用フレーム体７の前進に基づきガイド体12…を羽先片３…の櫛の歯状空間内に位置させると共に用紙の導入を成すための間隙Ｓを閉鎖するための手段として、羽先片３…の間にガイドコロ４…を取付け、揺動レバー11…の上縁に制御用カム片13…を設け、移動用フレーム体７の前進に基づき当該制御用カム片13…が当該ガイドコロ４…に係合して、当該揺動レバー11をスプリング11aに抗して降下させ、その先端に形成のガイド体12により、用紙の導入を成すための間隙Ｓが閉鎖されるように構成することに依って、ガイド体12…は、羽根Ｔに対する「突当て用」と「ガイド用」との機能変更の切換えに際する移動用フレーム体７の動作と連動して作動することとなる。  従って、当該機能変更はワンアクションで達成されることとなる。
【００１５】
本発明は請求項６に記載のような構成、すなわち、ガイドコロおよびこれと係合する制御用カム片を、両側部に位置する羽先片3,3寄りと、両側部に位置する揺動レバー11,11の上面だけに取付けるように構成することに依り、機構の省略的合理化が果され、従って、製造コストを下げることができる。
【発明を実施するための最良の形態】
【００１６】
図６は従来の紙折り機を表したものであり、Ａは基台、Ｂは基台Ａの一側に設けた紙供給機構部、Ｃは基台Ａの中央部に設けた紙折り用ロール機構部、Ｄは該ロール機構部Ｃと共同して紙折り工程を司る羽根機構部、Ｅは基台Ａの他側に設けた紙折り済み紙材の取出し機構である。
【００１７】
同図において、折曲げ対象とする紙材は、紙供給機構部Ｂから、紙折りロール機構部Ｃ及び羽根機構部Ｄに送られると共に、ここで所定の紙折り行程が施された後、取出し機構部Ｅを経て他の工程に送られるように構成してある。
【００１８】
また、上記紙供給機構部Ａを経て紙折りロール機構部Ｂに送られてくる紙材は、その所定のロールを介して案内され、羽根機構部Ｄにおける「突当て用」としての転化機能状態にある羽根d1内に導かれる共に、当該紙折り用羽根d1内に収装されている突当て板に当たってこれ以上の進入が阻止される。
上記進入が阻止された紙材はロールの回転に基づき折り曲げられ、その折曲げ縁が突き当て機構Ｄにおける「ガイド用」としての転化機能状態にある羽根d2の先端ガイド面に当たって案内されることに依り、当該紙材に対する折曲げ作用が奏されるように構成されている。
【００１９】
なお、上記した紙折りロール配設機構部Ｃであるが、これは所要段数のロールの配設に基づき、四つ折りまたは八つ折り等、送られてくる紙材に対する所定の紙折りが施されるものであるが、図６に於いては分かり易くするために、最小段数のロールに省略して示してある。  そして同様に、羽根機構部Ｄも分かり易くするために最小単位のものに省略して示してある。  
【００２０】
すなわち、上記した羽根機構部Ｄは、紙材に対する送り込まれる部分の長さを所定長さに規制するように適宜設定した「突き当て用羽根d1」と、当該突き当てに基づき折り曲げられる紙材の折曲げ端をそのガイド面で受止めてこれの折曲げを成すように設定した「ガイド用羽根d2」とを対として一単位とし、これを折曲げ形態に応じて所要単位数設けるものであるが、同図に於いてはこれを省略して最小単位数だけを表してある。  なお、図示の羽根d1,d2は一般的な従来例の羽根である。
【００２１】
ところで、上記した「突当て用」として機能させる羽根d1と、「ガイド用」として機能する案内機能用羽根d2とは同一構造のものを用い、当該両機能は所定の切換処理を施すことにより、夫々の目的の羽根として使用することができるように構成してある。  そして、このような構成を採ることは従来から行われている。
【００２２】
そして本発明は、上記したような羽根における「突当て用」と「ガイド用」の設定の切換えが、極めて簡便かつ迅速に果されるように構成したことを特徴とするものである。
【００２３】
図１は本発明に係る紙折り機の要部たる羽根Ｔを表したものである。  そして、本発明は当該羽根Ｔを、図１〜図３に示すような「突当て用」としての機能形態から、図４及び図５に示すような「ガイド用」としての機能形態、並びにこれの逆の機能形態に、極めて容易かつ迅速に転化することができるように構成したものである。  以下、その具体的構成を図面について詳細に説明する。
【００２４】
図１乃至図３において、１は矩形状を呈する基枠、２は当該基枠１の前端に架設した梁杆である。  ３…は当該梁杆２に対して互いに所定間隔を保った状態(櫛歯状態)で取付けた羽先片であって、当該羽先片３…は基枠板１の表面からやや浮かせた状態、すなわち、所定の間隙Ｓを形成した状態で固定することにより、当該基枠１の内面と羽先片３…の対向面との間に紙折り対象とする用紙の導入が図られるように構成してある。  そして、当該羽先片３…の内面側先端は用紙導入の円滑化が図られるように案内用弧状面3aが形成されている。
【００２５】
４…は後述するガイド体12の定位置安定を司るためのガイドコロであつて、上記した羽先片３…の間に夫々位置させた状態で定位置回転可能に取付けてある。(図１参照)  すなわち、当該ガイドコロ４…は、上記した梁杆２の手前(やや奥部分)にこれと並行しかつ所定の高さに位置させた状態で取付けてある。
【００２６】
Ｕは羽根Ｔに設けた可動機構部であって、「突当て用」としての機能時における紙材の突き当て停止位置の設定と、「ガイド用」としての機能時における紙材折曲げ案内面形成の設定とを司るものである。  以下、当該可動機構部Ｕの構成を説明する。
なお、図３及び図５に示されている当該可動機構部Ｕ部分には、これを分かり易くするために鎖線による斜線を施してある。  従って、同図においてこれらの斜線は断面を表す線ではない。
【００２７】
７は基枠１に対して前後進自在に取付けた移動用フレーム体であって、下記するガイド取付け用揺動レバーを枢支するための枢軸7aを具えている。  当該移動用フレーム７は機械的または手動的にその前進及び後退作動が成されるように構成してある。
そして、当該運動を行うための手段は、主としてチェーン、歯付きベルト、通常のライン状または平ベルトのような連動用ラインを用いた駆動力伝達機構、或いは、ラックとピニオンの噛み合いに依る歯車による駆動力伝達機構等、適宜な駆動力伝達機構を用いるものとする。  然し乍、本発明にあって要部とすることは、移動用フレーム７を前進または後退可能に設けたことにあり、そのための駆動機構に関しては特別の限定性はない。
【００２８】
図面に示す実施例は上記した駆動機構として、連動用ラインＬ，Ｌを用いた駆動力伝達機構を表したものである。  すなわち、図面において、8，8は基枠１の前端寄りに左右対称的にして同軸的に設けたライン送り用ホイール、9，9  は基枠１の後端寄りに左右対称的にして同軸的に設けたライン送り用ホイールであって、両ホイール8，8、9，9の間には夫々連動用ラインＬ，Ｌを掛架すると共に、上記移動用フレーム体７に対して当該ラインＬ，Ｌの両端を夫々連結してある。
図示の実施例にあっては連動用ラインＬ，ＬはモータＭにより正逆回転可能とする駆動用ホイールｍに係合させ、当該ホイールｍの回動に基づき当該連動用ラインＬ，Ｌが回動し、移動用フレーム体７の前進又は後退運動が行われるように構成してある。
そして、上記したような連動用ラインＬ，Ｌの回動は、図示のようにモータＭの駆動力に依存することなく、駆動用ホイールｍに対して適宜ハンドルを連結することにより手動的に回動させるように構成しても良い。
なお、前述したように、このような駆動力伝達機構は本発明の骨子的要件とするものではなく、従って、移動用フレーム体７を前後及び後退可能とする連動機構であれば如何なる形態のものであつても採用可能とする。
【００２９】
10…は導入された紙材の端縁を受止めるための突当て面10aを先端に形成して成る突当て板であって(図３参照)、上記移動用フレーム体７に対して夫々所定間隔を保った櫛の歯状に固設してある。  なお、当該突当て板10…の形成間隔であるが、これは前述した羽先片３…の各櫛の歯状空間内と対応するような櫛の歯状に位置させて固設してある。  従って、当該突当て板10…を前進させた際においても、両者はぶつかることなく互いの空間を埋めるような咬み合い状態に位置されるように構成してある。
【００３０】
11…は先端にガイド体12を取付けた揺動レバーであって、当該各揺動レバー11…は上記した枢軸８に対してその基端部に於いて回転自在に枢着すると共に、スプリング11a(図３参照)を介して上記突当て板10…の突き当て位置(紙材が突き当たる位置)より上位方向に逃がした状態に保持されるように構成してある。  すなわち、当該各ガイド体12は、「突当て用」機能としての使用時には、上記した各突当て板10…の上方に避けておくような状態で安定させられるように構成してある。
【００３１】
13，13は制御用カム片であって、羽根Ｔを「ガイド用」としての機能形態に転化させる場合に、既述したガイドコロ４…と係合して(図５参照)、当該揺動レバー11をスプリング12に抗して降下させ、その先端に形成のガイド体12を、前記した羽先片３…の各櫛の歯状空間内に位置させることに依って、間隙Ｓを閉鎖して紙材の導入を阻止するような役割を果すように構成してある。
【００３２】
すなわち、当該各ガイド体12は前記した羽先片３…の各間に前後進自在に位置されることなり、これが前進した際には、図４及び図５に示すように、上述した用紙の導入を成すための間隙Ｓを閉鎖するように構成してある。
【００３３】
なお、図示の実施例においては、制御用カム片13を上記各揺動レバー11…のうちの両側部に位置する揺動レバーだけの上縁に固設するよう構成してあるが、当該制御用カム片13を全ての揺動レバーの上縁に取付けるように構成してもよい。
【００３４】
結局、羽根Ｔは、当該ガイド体12が図１に示すように奥方向に引っ込まされている状態では、「突当て用」としての機能形態を呈し、当該ガイド体12を最前方に前進させた際は「ガイド用」としての機能形態を呈するように構成されているわけである。
【００３５】
図１乃至図３は、羽根Ｔを「突当て用」機能形態にセットした状態を表したものである。  この状態においては、移動用フレーム体７が基枠１の奥方向に後退させられているため、羽先片３と基枠１との間には所定の間隙Ｓが開放状態とされ、紙材は当該間隙Ｓから設定分だけの送込みがなされる。  そして、当該送込まれる紙材は、突当て板10の突当て面10aに突き当たって停止するため、当該移動用フレーム体７の後退位置は、当該突当て面10aが紙材の送込み寸法に合致した距離にあるように調節する。
【００３６】
図４及び図５は、羽根Ｔを「ガイド用」機能形態にセットした状態を表したものである。  この状態においては、移動用フレーム体７は一杯に前進させられ、これに依りガイド体12も前方に前進させられて、羽先片３…の各櫛の歯状空間内に位置させられる。  従って、間隙Ｓは当該ガイド体12によって閉鎖させられ紙材の導入が阻止される。
【００３７】
なお、移動用フレーム体７の移動は、所要の駆動力により回動するチェーンＬにより行われるものであり、当該駆動力をモータとした場合は機械的に、ハンドルとした場合は手動的に行われる。
【００３８】
そして、移動用フレーム体７の上記のような前進が行われた際、ガイド体12はその揺動レバー11に設けた制御用カム片13がガイドコロ４と係合し、スプリング11aに抗して押し下げるため、当該ガイド体12は一杯に降下して間隙Ｓに対する完全閉鎖が果される。  また、前進する前、すなわち「突当て用」機能形態においては、当該ガイド体12はスプリング11aの押上げ力に基づき、上記突当て板10…の突き当て位置(紙材が突き当たる位置)より上位方向に逃げた状態に保持されるため、当該突き当て作動に齟齬をきたすことがない。
【００３９】
すなわち、上記したようなカム的係合機構を採っている結果、当該ガイド体12の作動は移動用フレーム体７の動きと連動して行われることとなる。
【００４０】
「ガイド用」機能形態から「突当て用」機能形態に設定換えする場合は、移動用フレーム体７を後退させることにより、上記の逆作動に基づき達成される。
【図面の簡単な説明】
【００４１】
【図１】本発明に係る紙折り機の要部とする羽根を表した斜視図である。
【図２】本発明に係る紙折り機の要部とする羽根を「突当て用」形態とした場合の拡大断面図である。
【図３】図２における要部部分を著しく拡大して示す側面図である。
【図４】本発明に係る紙折り機の要部とする羽根を「ガイド用」形態とした場合の拡大断面図である。
【図５】図４における要部部分を著しく拡大して示す側面図である。
【図６】従来の紙折り機の羽根の配置部分を表した説明用正面図である。
【図７】従来の羽根の一例を表した斜視図である。
【符号の説明】
【００４２】
Ａ  基台
Ｂ  紙供給機構部
Ｃ  紙折り用ロール機構部
Ｄ  羽根機構部
d1  突き当て用羽根
d2  ガイド用羽根
Ｅ  紙折り済み紙材の取出し機構部
Ｔ  本発明に係る羽根
１  基枠
２  梁杆
３  羽先片
3a  案内用弧状面
Ｓ  間隙
４  ガイドコロ
Ｕ  可動機構部
７  移動用フレーム体
7a  枢軸
８  ライン送り用ホイール
９  ライン送り用ホイール
Ｌ  連動用ライン
Ｍ  モータ
ｍ  駆動用ホイール
10  突当て板
10a  突当て面
11  揺動レバー
11a  スプリング
12  ガイド体
13  制御用カム片
【図１】
2006062867.tif 000003
【図２】
2006062867.tif 000004
【図３】
2006062867.tif 000005
【図４】
2006062867.tif 000006
【図５】
2006062867.tif 000007
【図６】
2006062867.tif 000008
【図７】
2006062867.tif 000009